(57)【要約】【課題】記録型の多層光ディスクについて記録条件の最適化を行う場合、各々の情報層について記録条件の最適化を行う必要があったので、情報層の多層化に伴う試し書き時間の大幅な増加が問題となっていた。【解決手段】本発明の目的を達成するために、本発明に係る情報記録再生装置においては、一部の情報層に対してのみ試し書きを行い、その試し書きの結果と予め定められた暫定記録条件情報を用いて所定の計算を行って、全情報層ごとの記録条件を最適化する。【選択図】図１
2009104704.tif 000002
【特許請求の範囲】
【請求項１】
一つの光入射面につき情報層が３層以上積層された光情報記録媒体に対して、光照射により情報の記録と再生を行う情報記録再生装置であって、
各種光情報記録媒体を構成する情報層ごとに定められた暫定記録条件を暫定記録条件情報として記憶する手段と、
上記光情報記録媒体から媒体識別情報を読み出す手段と、
上記媒体識別情報の各情報層の暫定記録条件を、上記暫定記録条件情報から選択する手段と、
上記暫定記録条件に従って全情報層の記録条件を最適化する手段とを備え、
上記記録条件を最適化する手段は、上記情報層の一部の情報層についてのみ試し書きを行うことにより上記一部の情報層についてのみ最適記録結果を取得し、上記暫定記録条件に対して上記最適記録結果に基づいた補正計算をすることにより、全情報層ごとの記録条件を最適化することを特徴とする情報記録再生装置。
【請求項２】
前記暫定記録条件は、各情報層に適した記録信号波形と暫定記録パワーとからなり、
前記全情報層ごとの記録条件の最適化では、暫定記録パワーに基づいて記録パワーの最適化を行うことを特徴とする請求項１記載の情報記録再生装置。
【請求項３】
前記光情報記録媒体における光入射側から最も奥の情報層、及び光入射側から最も手前の情報層の２つの情報層に対して試し書きを行うことを特徴とする請求項２記載の情報記録再生装置。
【請求項４】
前記光情報記録媒体は（ｎ＋１）個（ｎは、２以上の整数）のＬｍ情報層（ｍは、０〜ｎの整数）を光入射側から最も奥よりＬ０情報層、Ｌ１情報層、Ｌ２情報層、・・・、Ｌｎ情報層の順で有し、
前記情報記録再生装置は前記光情報記録媒体に応じた前記Ｌｍ情報層ごとの暫定記録パワーＰｗｉ（ｍ）（ｍは、０〜ｎの整数）を有し、
前記光情報記録媒体における光入射側から最も奥の情報層及び光入射側から最も手前の情報層の２つの情報層に対して試し書きを行うことにより、前記光情報記録媒体における光入射側から最も奥のＬ０情報層の最適記録パワーＰｗｏ（０）と、前記光情報記録媒体における光入射側から最も手前のＬｎ情報層の最適記録パワーＰｗｏ（ｎ）を取得し、
Ｌ０情報層の補正係数ｋ（０）とＬｎ情報層の補正係数ｋ（ｎ）は、ｋ（０）＝Ｐｗｏ（０）／Ｐｗｉ（０）及びｋ（ｎ）＝Ｐｗｏ（ｎ）／Ｐｗｉ（ｎ）により算出し、
Ｌｍ情報層の補正係数ｋ（ｍ）は、ｋ（ｍ）＝ｋ（０）＋（ｋ（ｎ）−ｋ（０））×ｍ／ｎで表される補正式に基づいて計算し、
Ｌｍ情報層の最適パワーは、Ｐｗｏ（ｍ）＝ｋ（ｍ）×Ｐｗｉ（ｍ）の式に基づいて計算して、全情報層の記録条件の最適化を行うことを特徴とする請求項３記載の情報記録再生装置。
【請求項５】
一つの光入射面につき情報層が３層以上積層された光情報記録媒体に対して、光照射により情報の記録と再生を行い、各種光情報記録媒体を構成する情報層ごとに定められた暫定記録条件に従って全情報層の記録条件を最適化する情報記録再生方法であって、
上記記録条件の最適化は、前記情報層の一部の情報層についてのみ試し書きを行うことにより前記一部の情報層についてのみ最適記録結果を取得し、上記暫定記録条件に対して上記最適記録結果に基づいた補正計算をすることにより、全情報層ごとの記録条件を最適化することを特徴とする情報記録再生方法。
【請求項６】
前記暫定記録条件は、各情報層に適した記録信号波形と暫定記録パワーとからなり、
前記全情報層ごとの記録条件の最適化では、暫定記録パワーに基づいて記録パワーの最適化を行うことを特徴とする請求項５記載の情報記録再生方法。
【請求項７】
前記光情報記録媒体における光入射側から最も奥の情報層、及び光入射側から最も手前の情報層の２つの情報層に対して試し書きを行うことを特徴とする請求項６記載の情報記録再生方法。
【請求項８】
前記光情報記録媒体は（ｎ＋１）個（ｎは、２以上の整数）のＬｍ情報層（ｍは、０〜ｎの整数）を光入射側から最も奥よりＬ０情報層、Ｌ１情報層、Ｌ２情報層、・・・、Ｌｎ情報層の順で有し、
前記情報記録再生装置は前記光情報記録媒体に応じた前記Ｌｍ情報層ごとの暫定記録パワーＰｗｉ（ｍ）（ｍは、０〜ｎの整数）を有し、
前記光情報記録媒体における光入射側から最も奥の情報層及び光入射側から最も手前の情報層の２つの情報層に対して試し書きを行うことにより、前記光情報記録媒体における光入射側から最も奥のＬ０情報層の最適記録パワーＰｗｏ（０）と、前記光情報記録媒体における光入射側から最も手前のＬｎ情報層の最適記録パワーＰｗｏ（ｎ）を取得し、
Ｌ０情報層の補正係数ｋ（０）とＬｎ情報層の補正係数ｋ（ｎ）は、ｋ（０）＝Ｐｗｏ（０）／Ｐｗｉ（０）及びｋ（ｎ）＝Ｐｗｏ（ｎ）／Ｐｗｉ（ｎ）により算出し、
Ｌｍ情報層の補正係数ｋ（ｍ）は、ｋ（ｍ）＝ｋ（０）＋（ｋ（ｎ）−ｋ（０））×ｍ／ｎで表される補正式に基づいて計算し、
Ｌｍ情報層の最適パワーは、Ｐｗｏ（ｍ）＝ｋ（ｍ）×Ｐｗｉ（ｍ）の式に基づいて計算して、全情報層の記録条件の最適化を行うことを特徴とする請求項７記載の情報記録再生方法。
【発明の詳細な説明】
【技術分野】
【０００１】
本発明は、光情報記録媒体の記録再生装置及び記録再生方法に関し、より詳しくは、多層光情報記録媒体における記録条件の最適化手段及び手法に関する。
【背景技術】
【０００２】
近年のマルチメディア化に伴って、大量のデータの配布や長期保存に適した情報記録媒体として、光情報記録媒体（以下、光ディスクという。）が注目されている。この光ディスクとして、（１）製造時にスタンピングにより情報層にエンボスピットが形成され、このエンボスピットの再生のみが可能な再生専用型ディスク、（２）情報層に色素等からなる記録膜が用いられ、一回だけ記録が可能な追記型ディスク、（３）情報層に光磁気記録膜や相変化記録膜が用いられ、何度もデータの書き換えや消去が可能な書き換え型ディスク、などが知られている。
【０００３】
これら光ディスクに対するデータの記録及び再生は、レーザ光を用いて行われる。対物レンズは、このレーザ光を回折限界まで絞り込んで光ディスクの情報層に光スポットを形成する。このときの光スポットの直径は、レーザ光の波長をλ、対物レンズの開口数をＮＡとすると、略λ／ＮＡで表される。すなわち、光スポットの直径はレーザ光の波長と対物レンズの開口数で決まる値である。
【０００４】
記録再生の分解能は、前記光スポットの直径によって決まり、直径が小さいほど記録再生の分解能は向上する。よって、光ディスクの大容量化の要求に応えるためには、光スポットを小径化することが、直接的かつ最も有効な手段である。先に述べたように、光スポットの直径は略λ／ＮＡで表されるので、光スポット径を小さくするためには、レーザ波長を短波長化するとともに対物レンズの開口数を大きくすればよい。例えば、ＤＶＤのレーザ波長λが６５０ｎｍ或いは６３５ｎｍ、対物レンズの開口数ＮＡが０．６であるのに対し、次世代光ディスクでは、波長λを４００ｎｍ程度、開口数ＮＡを０．６超とすることで、光スポットを小径化して高密度化を行っている。次世代光ディスクの一例を挙げると、Ｂｌｕ−ｒａｙ  Ｄｉｓｃは、波長λを４０５ｎｍ、開口数ＮＡを０．８５として高密度化を実現している。
【０００５】
しかし、これ以上光源の短波長化が進むと、対物レンズなどの光学素子や光ディスク基板の透過率が急激に減少するという問題がある。さらには、これ以上対物レンズの開口数が大きくなると、レンズ作動距離が極端に短くなってしまう等の問題もある。
【０００６】
そこで、さらなる光ディスクの大容量化の要求に応えるために、光スポットの小径化による高密度化に加えて、情報層を複数積層した光ディスクが提案されている。例えば、現在においては情報層を２層備える光ディスクが商品化されており、さらなる大容量化を実現するために、３層以上の情報層を備える多層光ディスクが検討されている。多層光ディスクのレーザ入射側から見て奥側にある情報層にデータを記録する場合は、光入射側の情報層越しに奥の情報層に光スポットを形成する。そこで、奥側の情報層に十分なレーザパワーが到達するように、光入射側には透過率の高い情報層が配置される。
【０００７】
ところで、スタンピングにより情報層に形成しておくエンボスピットやデータを情報層に記録するための記録マークは、光ディスクの大容量化が進むにつれて小さく形成しなければならない。そのため、前記追記型ディスクや書き換え型ディスクのような記録型の光ディスクにおいては、微小な記録マークを形成するために、データの記録時のレーザパワー等について高い精度の制御が求められるようになってきた。そこで、記録型の光ディスクに記録マークを精度よく形成する場合、データの記録を開始する前に試し書きを行って、レーザパワー等の記録条件を最適化しておくことが重要である。多層光ディスクの場合は、各情報層それぞれについて個別に記録条件の最適化を行う必要がある。多層光ディスクの記録条件の最適化を行う手法として、例えば、順次各情報層に設けられたテストライトエリアを用いてテストライトを行って各層のそれぞれについて最適なレーザパワーを設定し、第１層の記録／再生動作、第２層の記録／再生動作、・・・、第ｎ層の記録／再生動作を実行制御する手法が開示されている（特許文献１参照）。
【０００８】
【特許文献１】特開２００３−３４６３７９号公報
【発明の開示】
【発明が解決しようとする課題】
【０００９】
先に述べたように、追記型あるいは書き換え型のような記録型の多層光ディスクについて記録条件の最適化を行う場合、各々の情報層について記録条件の最適化を行う必要があった。そのため、従来技術に従って情報層をｎ層備える多層光ディスクに対して試し書きを行う場合、情報層を１層だけ備える単層光ディスクと比べると、試し書きに必要な時間はｎ倍になってしまっていた。すなわち、情報層を２層備える従来の２層光ディスクの試し書き時間は、単層光ディスクの２倍程度であったのに対して、例えば、情報層を６層備える６層光ディスクの試し書き時間は、単層光ディスクの６倍もの時間を要していた。
【００１０】
近年、映像用途として、光ディスク録画機が一般家庭にも広く普及してきている。しかし、光ディスク録画機は、従来の磁気テープ録画機と比較して、長い始動時間が問題になっている。ここで、始動時間は、光ディスク録画機に媒体を投入してから実際にデータの記録再生が始まるまでの時間をいうが、始動時間の長大化は、実際にデータの記録再生が始まるまでに行われる前記試し書きに要する時間に主に起因する。
【００１１】
光ディスクの情報層の多層化は、大容量化に有効な技術である。しかし、記録再生開始までの始動時間の長大化を回避する観点から、情報層の多層化を行った場合でも試し書き時間の大幅な増加は避けなければならない。
【００１２】
本発明の目的は、このような技術的課題を解決することにある。即ち、本発明の目的は、多層光ディスクを用いる場合でも、各情報層の記録条件の最適化を短時間で行うことができる情報記録再生装置を提供することにある。
【課題を解決するための手段】
【００１３】
本発明の目的を達成するために、本発明に係る情報記録再生装置においては、一部の情報層に対してのみ試し書きを行い、その試し書きの結果と予め定められた暫定記録条件情報を用いて所定の計算を行って、全情報層ごとの記録条件を最適化する。
【００１４】
本発明の情報記録再生装置に従えば、一つの光入射面につき情報層が３層以上積層された光情報記録媒体に対して、光照射により情報の記録と再生を行う情報記録再生装置であって、各種光情報記録媒体を構成する情報層ごとに定められた暫定記録条件を暫定記録条件情報として記憶する手段と、前記光情報記録媒体から媒体識別情報を読み出す手段と、前記媒体識別情報の各情報層の暫定記録条件を、前記暫定記録条件情報から選択する手段と、前記暫定記録条件に従って全情報層の記録条件を最適化する手段とを備え、前記記録条件を最適化する手段は、前記情報層の一部の情報層についてのみ試し書きを行うことにより前記一部の情報層についてのみ最適記録結果を取得し、前記暫定記録条件に対して前記最適記録結果に基づいた補正計算をすることにより、全情報層ごとの記録条件を最適化することを特徴とする情報記録再生装置が提供される。
【００１５】
本発明の情報記録再生装置において、上述の暫定記録条件は、各情報層に適した記録信号波形と暫定記録パワーとからなり、前記全情報層ごとの記録条件の最適化では、暫定記録パワーに基づいて記録パワーの最適化を行ってもよい。
【００１６】
これにより、記録信号波形については最適化を行うことなく、簡易な手順で記録条件の最適化を行えるので、記録信号波形も最適化する場合に比べて記録条件の最適化に要する時間をさらに短縮化できる。
【００１７】
本発明の情報記録再生装置において、上述の記録条件の最適化は、光情報記録媒体における光入射側から最も奥の情報層及び光入射側から最も手前の情報層の２層に対して行ってもよい。
【００１８】
光入射側から最も奥の情報層は、光情報記録媒体製造時の各情報層の透過率ばらつきの影響を最も受けやすい情報層である一方、光入射側から最も手前の情報層は、各情報層の透過率ばらつきの影響を受けず、その光情報記録媒体における記録条件の基準点としやすいためである。
【００１９】
本発明の情報記録再生装置において、上述の記録条件を最適化する手段は、前記光情報記録媒体が（ｎ＋１）個（ｎは、２以上の整数）のＬｍ情報層（ｍは、０〜ｎの整数）を光入射側から最も奥よりＬ０情報層、Ｌ１情報層、Ｌ２情報層、・・・、Ｌｎ情報層の順で有し、前記情報記録再生装置は前記光情報記録媒体に応じた前記Ｌｍ情報層ごとの暫定記録パワーＰｗｉ（ｍ）（ｍは、０〜ｎの整数）を有し、前記光情報記録媒体における光入射側から最も奥の情報層及び光入射側から最も手前の情報層の２つの情報層に対して試し書きを行うことにより、前記光情報記録媒体における光入射側から最も奥のＬ０情報層の最適記録パワーＰｗｏ（０）と、前記光情報記録媒体における光入射側から最も手前のＬｎ情報層の最適記録パワーＰｗｏ（ｎ）を取得し、Ｌ０情報層の補正係数ｋ（０）とＬｎ情報層の補正係数ｋ（ｎ）は、ｋ（０）＝Ｐｗｏ（０）／Ｐｗｉ（０）及びｋ（ｎ）＝Ｐｗｏ（ｎ）／Ｐｗｉ（ｎ）により算出し、Ｌｍ情報層の補正係数ｋ（ｍ）は、ｋ（ｍ）＝ｋ（０）＋（ｋ（ｎ）−ｋ（０））×ｍ／ｎで表される補正式に基づいて計算し、Ｌｍ情報層の最適パワーは、Ｐｗｏ（ｍ）＝ｋ（ｍ）×Ｐｗｉ（ｍ）の式に基づいて計算して、全情報層の記録条件を最適化してもよい。
【００２０】
これにより、簡易な手順で記録パワーの最適化を行えるので、記録条件の最適化に要する時間を短縮化できる。
【００２１】
さらに、本発明の情報記録再生方法に従えば、一つの光入射面につき情報層が３層以上積層された光情報記録媒体に対して、光照射により情報の記録と再生を行い、各種光情報記録媒体を構成する情報層ごとに定められた暫定記録条件に従って全情報層の記録条件を最適化する情報記録再生方法であって、前記記録条件の最適化は、前記情報層の一部の情報層についてのみ試し書きを行うことにより前記一部の情報層についてのみ最適記録結果を取得し、前記暫定記録条件に対して前記最適記録結果に基づいた補正計算をすることにより、全情報層ごとの記録条件を最適化することを特徴とする情報記録再生方法が提供される。
【００２２】
本発明の情報記録再生方法において、上述の暫定記録条件は、各情報層に適した記録信号波形と暫定記録パワーとからなり、前記全情報層ごとの記録条件の最適化では、暫定記録パワーに基づいて記録パワーの最適化を行ってもよい。
【００２３】
これにより、記録信号波形については最適化を行うことなく、簡易な手順で記録条件の最適化を行えるので、記録信号波形も最適化する場合に比べて記録条件の最適化に要する時間をさらに短縮化できる。
【００２４】
本発明の情報記録再生方法において、上述の記録条件の最適化は、光情報記録媒体における光入射側から最も奥の情報層及び光入射側から最も手前の情報層の２層に対して行ってもよい。
【００２５】
光入射側から最も奥の情報層は、光情報記録媒体製造時の各情報層の透過率ばらつきの影響を最も受けやすい情報層である一方、光入射側から最も手前の情報層は、各情報層の透過率ばらつきの影響を受けず、その光情報記録媒体における記録条件の基準点としやすいためである。
【００２６】
本発明の情報記録再生方法において、上述の記録条件を最適化する手段は、前記光情報記録媒体が（ｎ＋１）個（ｎは、２以上の整数）のＬｍ情報層（ｍは、０〜ｎの整数）を光入射側から最も奥よりＬ０情報層、Ｌ１情報層、Ｌ２情報層、・・・、Ｌｎ情報層の順で有し、前記光情報記録媒体における光入射側から最も奥の情報層及び光入射側から最も手前の情報層の２つの情報層に対して試し書きを行うことにより、前記光情報記録媒体における光入射側から最も奥のＬ０情報層の最適記録パワーＰｗｏ（０）と、前記光情報記録媒体における光入射側から最も手前のＬｎ情報層の最適記録パワーＰｗｏ（ｎ）を取得し、Ｌ０情報層の補正係数ｋ（０）とＬｎ情報層の補正係数ｋ（ｎ）は、ｋ（０）＝Ｐｗｏ（０）／Ｐｗｉ（０）及びｋ（ｎ）＝Ｐｗｏ（ｎ）／Ｐｗｉ（ｎ）により算出し、Ｌｍ情報層の補正係数ｋ（ｍ）は、ｋ（ｍ）＝ｋ（０）＋（ｋ（ｎ）−ｋ（０））×ｍ／ｎで表される補正式に基づいて計算し、Ｌｍ情報層の最適パワーは、Ｐｗｏ（ｍ）＝ｋ（ｍ）×Ｐｗｉ（ｍ）の式に基づいて計算して、全情報層の記録条件を最適化してもよい。
【００２７】
これにより、簡易な手順で記録パワーの最適化を行えるので、記録条件の最適化に要する時間を短縮化できる。
【発明の効果】
【００２８】
本発明に従えば、多層光情報記録媒体の記録条件の最適化を短時間で行うことができる情報記録再生装置及び情報記録再生方法を得ることができる。
【発明を実施するための最良の形態】
【００２９】
以下に、実施例に基づき本実施の形態を詳細に説明する。なお、本実施の形態は以下の実施例に限定されるものではない。
【実施例】
【００３０】
本実施例では、情報層を６層備える追記型の多層光ディスクと、６層の多層光ディスクの記録再生に対応する光ディスク録画機を作製し、多層光ディスクへの映像データの記録を行った。
【００３１】
多層光ディスクは、厚さ１．１ｍｍ、外径１２０ｍｍ、内径１５ｍｍのポリカーボネート樹脂製のディスク基板上に、情報層と透明樹脂からなる層とを交互に積層し、合計の厚さが１．２ｍｍとなる形態とした。ディスク基板は射出成型により形成し、溝ピッチ０．３２μｍのスパイラル状のトラッキング案内溝が設けられている。ディスク基板上のトラッキング案内溝を形成した面側には、まずＬ０情報層として、Ａｌ合金反射層、ＺｎＳ−ＳｉＯ２誘電体層、Ｔｅ−Ｐｄ−Ｏ記録層、ＺｎＳ−ＳｉＯ２誘電体層を順にスパッタリング法によって形成した。続いて、Ｌ０情報層の上に、中間層１６μｍ、Ｌ１情報層、中間層１４μｍ、Ｌ２情報層、中間層１７μｍ、Ｌ３情報層、中間層１５μｍ、Ｌ４情報層、中間層１３μｍ、Ｌ５情報層を順に形成した。
【００３２】
中間層は、次の方法で形成した。まず、情報層の上に透明な紫外線硬化樹脂をスピンコートにより塗布し、その上に、アモルファスポリオレフィン樹脂製のスタンパを貼り合せた。そして、スタンパ側から紫外線を照射して紫外線硬化樹脂を硬化させ、さらに、そのスタンパを引き剥がすことにより、溝ピッチ０．３２μｍのスパイラル状のトラッキング案内溝を有する中間層をそれぞれ形成した。
【００３３】
Ｌ１〜Ｌ５情報層は、各情報層に適した光学調整を行ったうえで、スパッタリング法によって形成した。Ｌ１〜Ｌ５情報層は複数の層で構成され、ＺｎＳ−ＳｉＯ２誘電体層、Ｔｅ−Ｐｄ−Ｏ記録層、ＺｎＳ−ＳｉＯ２誘電体層の順に形成した。
【００３４】
Ｌ５情報層の上には、カバー層を形成した。カバー層は、Ｌ５情報層の上に透明な紫外線硬化樹脂をスピンコートにより塗布し、紫外線を照射してこの紫外線硬化樹脂を硬化させて形成した。カバー層の厚さは２５μｍである。
【００３５】
一方、光ディスク録画機には、映像放送受信機と、固定ディスク記録再生装置と、光ディスク記録再生装置とを内蔵した。固定ディスク記録再生装置は、内部に磁気ディスクを備えており、映像放送受信機で受信した映像データを磁気ディスク上に記録することができる。固定ディスク記録再生装置の磁気ディスク上に記録された映像は、光ディスク記録再生装置によって可換型の光ディスク上に、そのデータを移動することができる。
【００３６】
光ディスク記録再生装置は、回転駆動機構によって光ディスクを回転させ、光学ヘッドから光ディスクにレーザ光を照射することにより情報の記録を行う。さらに、情報の再生時には、同様に光学ヘッドから光ディスクにレーザ光を照射して、光ディスクから反射してきたレーザ光を検出することにより情報の再生を行う。なお、ディスクは線速度が一定となるように回転させた。本実施例では線速度は４．９２ｍ／ｓとした。
【００３７】
光学ヘッドを構成するレーザ光源の波長λは４０５ｎｍ、対物レンズの開口数ＮＡは０．８５である。また、光学ヘッドには、球面収差の補正手段が設けられている。この補正手段は、多層光ディスクのＬ０〜Ｌ５情報層に集光した場合に、それぞれの情報層に適した球面収差補正を行えるように予め補正量が設定されてある。本実施例では、コリメータレンズを光軸方向へ移動させることにより本補正手段を実現した。
【００３８】
レーザ光は、光学ヘッドの対物レンズにより多層光ディスクの目的とする情報層の目的とするトラックに集光される必要がある。そのため、従来のフォーカスサーボとトラックサーボを用いた。
【００３９】
以上により、多層光ディスクの各情報層へ記録を行う基本的な準備はできたことになる。しかし、その前に先に述べたような各情報層の記録条件の最適化を行う必要がある。
【００４０】
記録条件の最適化の際には、まず、光ディスク固有の暫定的な記録条件を決定した。そのために、光ディスクにあらかじめ記録されている媒体識別情報を読み取り、さらに光ディスク記録再生装置の制御ソフトウェアにあらかじめ登録されている暫定記録条件情報のうち前記媒体識別情報に対応する情報を参照した。この暫定記録条件情報には、媒体識別情報に対応する記録信号波形や記録パワー等の情報が含まれている。記録条件の最適化の際には、前記媒体識別情報に対応する記録信号波形や記録パワー等の情報を暫定的な記録条件とした。
【００４１】
記録条件を最適化するための試し書きは、前記暫定的な記録条件に基づいて行った。具体的には以下に示すとおりである。試し書きでは、暫定的な記録条件に対して少しずつ条件を変化させながら試し書きデータを記録し、その後、各条件で記録されたデータをそれぞれ再生した。試し書きでは、アシンメトリを評価指標とし、情報層ごとにその評価指標の最適値が得られた記録条件を、その情報層の最適記録結果と決定した。
【００４２】
アシンメトリは、再生信号の長マークと短マークの波形の非対称性を表す［（Ｉ８Ｈ＋Ｉ８Ｌ）／２−（Ｉ２Ｈ＋Ｉ２Ｌ）／２］／（Ｉ８Ｈ−Ｉ８Ｌ）で定義される。ここで、Ｉ８Ｈは８Ｔ信号の極大値、Ｉ８Ｌは８Ｔ信号の極小値、Ｉ２Ｈは２Ｔ信号の極大値、Ｉ２Ｌは２Ｔ信号の極小値である。アシンメトリは、エラーレートの値との相関関係がある。本実施例の場合は、事前の試作検討において、いずれの情報層についてもアシンメトリ０．０２〜０．０４の範囲でエラーレートの最小値が得られた。そこで、アシンメトリの最適値を０．０３として情報層ごとに最適記録結果を決定した。
【００４３】
これら最適記録結果に基づいて情報層ごとに記録条件を最適化する具体的な手順の情報については、媒体識別情報と対応させて、記録条件最適化手順情報として、光ディスク記録再生装置の制御ソフトウェアにあらかじめ登録しておいた。
【００４４】
記録条件最適化手順は、従来技術に対して本発明が最も特徴を有する箇所である。そこで以下では、情報層ごとに記録条件を最適化する具体的な手順について具体的な実施例を挙げて説明する。なお、本実施の形態は以下の実施例に限定されるものではない。
【００４５】
本発明は、多層光ディスクにおいて、一部の情報層に対してのみ試し書きを行い、その試し書きの結果と暫定的に定められた記録条件を用いて所定の計算を行って、全情報層ごとの記録条件を最適化することを特徴とする。本発明に従う記録条件最適化の手順を図１に示した。以下では、６層の多層光ディスクを例にとって本発明に従う記録条件最適化方法について説明する。
【００４６】
まず、先に説明した方法により追記型の６層光ディスクを作製した。
【００４７】
本実施例で用いた多層光ディスクの試し書き領域は、Ｌ０情報層の半径２３．２８ｍｍ〜２３．６２ｍｍ及びＬ５情報層の半径２３．６２ｍｍ〜２３．９６ｍｍに設けたが、Ｌ１〜Ｌ４情報層の試し書き領域は設けていない。これは、本発明が一部の情報層（本実施例では、Ｌ０とＬ５情報層）に対してのみ試し書きを行い、その試し書きの結果と暫定的に定められた記録条件を用いて所定の計算を行って、全情報層ごとの記録条件を最適化するからである。なお、各情報層における試し書き領域を除く半径２３．２８ｍｍ〜２３．６２ｍｍは未記録領域とした。
【００４８】
暫定記録条件情報には、事前の試作検討で測定したデータから、各情報層に適した記録信号波形と、各情報層について暫定記録パワーの情報を入力しておいた。前記暫定記録条件情報と以下に示す記録条件最適化手順情報を、光ディスクの媒体識別情報に対応させて光ディスク記録再生装置の制御ソフトウェアに登録した。
【００４９】
記録条件最適化手順情報には、以下の最適化手法が情報として含まれている。
【００５０】
まず、Ｌ０情報層の試し書きと、Ｌ５情報層の試し書きを行う。その結果、Ｌ０情報層において最適記録パワーＰｗｏ（０）を取得し、Ｌ５情報層において最適記録パワーＰｗｏ（５）を取得した。そして、これらの値に基づいて、暫定記録条件に含まれる各情報層の記録パワーの値に対して補正計算を行い、その補正計算結果を各情報層の最適記録パワーとして決定した。本実施例の場合、各情報層の暫定記録パワーに補正係数を乗じて全情報層ごとの記録条件を最適化した。
【００５１】
具体的には、Ｌｍ情報層（ｍは０〜５の整数）の補正係数ｋ（ｍ）は、ｋ（ｍ）＝ｋ（０）＋（ｋ（５）−ｋ（０））×ｍ／５であらわされる補正式に基づいて計算された。ここで、Ｌｍ情報層（ｍは０〜５の整数）に対応する暫定記録パワーをＰｗｉ（ｍ）とすると、ｋ（０）とｋ（５）についてはｋ（０）＝Ｐｗｏ（０）／Ｐｗｉ（０）、ｋ（５）＝Ｐｗｏ（５）／Ｐｗｉ（５）とした。また、その他の補正係数については前記ｋ（０）とｋ（５）の値を前記補正式に入れて計算した。そして、Ｌｍ情報層（ｍは０〜５の整数）の最適パワーは、Ｐｗｏ（ｍ）＝ｋ（ｍ）×Ｐｗｉ（ｍ）で算出した。
【００５２】
（比較例１）
以下では、比較例として従来技術に従う６層光ディスクの記録条件最適化方法を示す。本比較例では、各情報層に試し書きを行って記録条件の最適化を行う。比較例１の最適化の手順は、図１において示した手順のうち、本発明の最適化方法に従わない場合のルーチンに相当する。
【００５３】
まず、比較例１用の追記型の６層光ディスクを作製し、その光ディスクの媒体識別情報に対応する暫定記録条件情報及び記録条件最適化手順情報を、光ディスク記録再生装置の制御ソフトウェアに登録した。
【００５４】
光ディスクの試し書き領域は、Ｌ０情報層の半径２３．２８ｍｍ〜２３．６２ｍｍ、Ｌ１情報層の半径２３．６２ｍｍ〜２３．９６ｍｍ、Ｌ２情報層の半径２３．９６ｍｍ〜２４．３０ｍｍ、Ｌ３情報層の半径２４．３０ｍｍ〜２４．６４ｍｍ、Ｌ４情報層の半径２４．６４ｍｍ〜２４．９８ｍｍ、Ｌ５情報層の半径２４．９８ｍｍ〜２５．３２ｍｍに設けて、各情報層における試し書き領域を除く半径２３．２８ｍｍ〜２５．３２ｍｍは未記録領域とした。このように各情報層には、試し書き領域を設けた。各情報層に試し書きを行って記録条件の最適化を行うからである。そのため、比較例１の光ディスクの媒体識別情報は、実施例１の光ディスクの媒体識別情報とは違えてある。
【００５５】
暫定記録条件情報には、事前の試作検討で測定したデータから、各情報層に適した記録信号波形と、各情報層について暫定記録パワーの情報を入力しておいた。記録条件最適化手順は、Ｌ０〜Ｌ５情報層の試し書きを順に行い、得られた結果を各情報層の最適記録パワーとして決定する手順にした。
【００５６】
（比較例２）
以下では、比較例として従来技術に従う２層光ディスクの記録条件最適化方法を示す。本比較例では、各情報層に試し書きを行って記録条件の最適化を行う。比較例２の最適化の手順は、図１において示した手順のうち、本発明の最適化方法に従わない場合のルーチンに相当する。
【００５７】
まず、比較例２用の追記型の２層光ディスクを作製し、その光ディスクの媒体識別情報に対応する暫定記録条件情報及び記録条件最適化手順情報を、光ディスク記録再生装置の制御ソフトウェアに登録した。
【００５８】
２層光ディスクは、ディスク基板上に、Ｌ０情報層、中間層２５μｍ、Ｌ１情報層、カバー層７５μｍが順に積層されていること、及び、各情報層が２層光ディスクに適した光学調整がなされていること以外は、比較例１の６層光ディスクと同様に作製した。比較例２の光ディスクの媒体識別情報は、実施例１及び比較例１の光ディスクの媒体識別情報とは異なる。光ディスクの試し書き領域は、Ｌ０情報層の半径２３．２８ｍｍ〜２３．６２ｍｍ及びＬ１情報層の半径２３．６２ｍｍ〜２３．９６ｍｍに設けて、各情報層における試し書き領域を除く半径２３．２８ｍｍ〜２３．９６ｍｍは未記録領域とした。
【００５９】
暫定記録条件情報には、事前の試作検討で測定したデータから、各情報層に適した記録信号波形と、各情報層について暫定記録パワーの情報を入力しておいた。記録条件最適化手順は、Ｌ０情報層の試し書きと、Ｌ１情報層の試し書きを順に行い、得られた結果を各情報層の最適記録パワーとして決定する手順にした。
【００６０】
（記録条件の最適化）
作製した光ディスクを、光ディスク録画機の光ディスク記録再生装置に装填し、映像データの録画を行った。光ディスクを装填すると、まず、光ディスク上の媒体識別情報が再生され、認識動作が実行された。次に、光ディスク録画機の操作ソフトウェア上から録画開始命令を送ると、制御ソフトウェア上に登録された暫定記録条件情報及び記録条件最適化手順情報を用いて、試し書きと最適記録パワーの算出が行われ、続いて、映像データの記録が開始された。制御ソフトウェアの動作をモニタリングしたところ、実施例１について暫定記録パワーに対して決定された最適記録パワーは、表１に示す結果であった。比較例１については、表２に示す結果であった。比較例２については、表３に示す結果であった。なお、最適記録パワーの検証のため、光ディスク記録再生装置にエラーレート測定回路を接続し、録画完了後の光ディスクについて再生信号の評価を行った。その結果、実施例１の全ての情報層、比較例１の全ての情報層、比較例２の全ての情報層において、エラーレート２．０×１０−５以下の優れた記録特性が確認できた。
【００６１】
【表１】
2009104704.tif 000003
【００６２】
【表２】
2009104704.tif 000004
【００６３】
【表３】
2009104704.tif 000005
【００６４】
（記録条件の最適化時間の計測）
以上に示した本実施例の光ディスク録画機において、実際に光ディスクに記録を行う際の記録条件の最適化時間を計測した。記録条件の最適化時間は、データの記録前に行われる試し書きに関する一連のプロセス（録画開始命令が送られてから、録画データの記録が開始されるまで）に要する時間を測定した。
【００６５】
光ディスクに記録するために用いたデータは、あらかじめ、映像放送受信機によって受信し、固定ディスク記録再生装置によって磁気ディスク上に記録しておいた。最適化時間の計測の際には、その映像データを磁気ディスク上から光ディスク上に移動した。光ディスクは、計測前に、あらかじめ、光ディスク記録再生装置に装填し、媒体識別情報の認識動作を完了させておいた。記録条件の最適化時間の測定は、光ディスク録画機の操作ソフトウェア上から録画開始命令を送った時点を始点とし、レーザ光源へ入力される記録信号波形をオシロスコープで観察しながら、試し書き終了後に映像データの最初の信号がレーザ光源に入力された時点を終点とした。これら始点と終点との時間間隔をストップウォッチにて計測した。なお、計測は同条件の光ディスク１０枚について行い、平均の最適化時間を求めた。
【００６６】
また、本実施例と従来技術とで記録条件の最適化にかかる時間を比較するために、実施例だけでなく前記比較例１及び２に示した従来技術での平均の最適化時間も求めた。
【００６７】
光ディスク上に映像データの録画を行う際、記録条件の最適化と並行して、記録条件の最適化時間の計測を行った。その結果、各光ディスクに対して、表４に示す平均の最適化時間が計測された。比較例１の６層光ディスクが、比較例２の２層光ディスクの概ね３倍もの最適化時間を要したのに対して、実施例１の６層光ディスクは、６層光ディスクでありながら、比較例２の２層光ディスクと同程度の最適化時間で録画を開始することができた。
【００６８】
【表４】
2009104704.tif 000006
【００６９】
以上から、本発明に基づく記録条件最適化手順に従えば、多層光ディスクの情報層の層数を増やした場合でも、従来技術と比較して記録条件の最適化に要する時間を大幅に短縮化できる。
【図面の簡単な説明】
【００７０】
【図１】本発明に従う多層光ディスクの記録条件の最適化を説明するフローチャートである。
【図１】
2009104704.tif 000007